(57)【特許請求の範囲】
【請求項１】
初期位置から所定の進出方向に進出可能に構成されたブレード（30）と、該ブレード（30）の前方に位置する通電用部材（12）を切断するように上記ブレード（30）を進出させるための高圧ガスを発生させるガス発生部（35）と、上記ブレード（30）の進出側端部と対向する壁部（23a）を有して上記通電用部材（12）を切断した後の上記ブレード（30）を受け止めるストッパ（23）とを備えた切断装置であって、
上記ストッパ（23）は、上記通電用部材（12）と上記壁部（23a）との間に設けられ、上記通電用部材（12）を切断した後の上記ブレード（30）と当接して変形するように構成された緩衝部（1）を有している
ことを特徴とする切断装置。
【請求項２】
初期位置から所定の進出方向に進出可能に構成されたブレード（30）と、該ブレード（30）の前方に位置する通電用部材（12）を切断するように上記ブレード（30）を進出させるための高圧ガスを発生させるガス発生部（35）と、上記ブレード（30）の進出側端部と対向する壁部（23a）を有して上記通電用部材（12）を切断した後の上記ブレード（30）を受け止めるストッパ（23）とを備えた切断装置であって、
上記ストッパ（23）は、上記通電用部材（12）を切断した後の上記ブレード（30）と当接して変形するように構成された緩衝部（1）を有し、
上記ストッパ（23）は、上記壁部（23a）の外周縁部から上記ブレード（30）の進出方向とは逆向きに突出して内部に上記ブレード（30）が進出する進出路の一部を形成する筒部（23b）を有し、
上記緩衝部（1）は、上記筒部（23b）の内周面から径方向内側に突出する少なくとも１つの突出部（2）によって構成されている
ことを特徴とする切断装置。
【請求項３】
請求項２において、
上記突出部（2）は、上記筒部（23b）の内周面に沿って該筒部（23b）の軸方向に延びている
ことを特徴とする切断装置。
【請求項４】
請求項２において、
上記突出部（2）は、上記筒部（23b）の内周面に沿って帯状に形成されると共に周方向に傾斜している
ことを特徴とする切断装置。
【請求項５】
請求項３又は４において、
上記突出部（2）は、上記壁部（23a）に近づくに従って突出高さが高くなるように構成されている
ことを特徴とする切断装置。
【請求項６】
請求項３又は４において、
上記突出部（2）は、上記壁部（23a）に近づくに従って周方向の幅が広くなるように構成されている
ことを特徴とする切断装置。
【請求項７】
請求項３乃至６のいずれか１つにおいて、
上記緩衝部（1）は、上記筒部（23b）の周方向に間隔を空けて配列された複数の上記突出部（2）によって構成されている
ことを特徴とする切断装置。
【請求項８】
請求項３乃至７のいずれか１つにおいて、
上記ストッパ（23）は、上記筒部（23b）の軸方向に直交する断面において、該断面への上記ブレード（30）の垂直投影図と上記突出部（2）との重複部分の面積が、上記突出部（2）と隣る溝空間における上記ブレード（30）の垂直投影図と重複しない部分の面積よりも小さくなるように構成されている
ことを特徴とする切断装置。
【請求項９】
請求項２乃至８のいずれか１つにおいて、
上記ブレード（30）は、上記通電用部材（12）を切断する金属製の切断部（31）と、該切断部（31）の上記進出方向に向かって後側に設けられた絶縁性部材からなる絶縁部（32）とを有し、該絶縁部（32）が上記切断部（31）によって切断された上記通電用部材（12）の切断面に接触するまで進出するように構成されている
ことを特徴とする切断装置。
【請求項１０】
請求項９において、
上記絶縁部（32）は、上記切断部（31）よりも大径に構成されている
ことを特徴とする切断装置。
【請求項１１】
請求項１乃至１０のいずれか１つにおいて、
上記ストッパ（23）は、樹脂によって構成されている
ことを特徴とする切断装置。
【発明の詳細な説明】
【技術分野】
【０００１】
本発明は、通電用部材を切断する切断装置に関するものである。
【背景技術】
【０００２】
従来より、ブレードを有し、該ブレードを所定の進出方向に進出させることによってハーネス等の通電用部材を切断する切断装置が知られている（例えば、下記特許文献１参照）。この種の切断装置は、例えば災害時に電源からの電力を遮断するために用いられている。
【０００３】
上記切断装置では、ブレードの後方において発生させた高圧ガスによってブレードを前進させて通電用部材を切断し、該通電用部材を切断した後のブレードを、ブレードの進出側端部と対向する壁部を有するストッパによって受け止めることとしていた。
【先行技術文献】
【特許文献】
【０００４】
【特許文献１】特開２０１０−８６６５３号公報
【発明の概要】
【発明が解決しようとする課題】
【０００５】
しかしながら、従来の切断装置では、通電用部材を切断した後のブレードをストッパの壁部のみで受け止めることとしていた。そのため、ブレードを受け止める際にストッパに強い衝撃が加わり、ストッパが破損してブレードを満足に受け止めることができなくなるおそれがあった。
【０００６】
本発明は、かかる点に鑑みてなされたものであり、その目的は、通電用部材を切断するブレードと通電用部材を切断した後のブレードを受け止めるストッパとを備えた切断装置において、ブレード受け止め時のストッパの破損を防止することにある。
【課題を解決するための手段】
【０００７】
第１の発明は、初期位置から所定の進出方向に進出可能に構成されたブレード（30）と、該ブレード（30）の前方に位置する通電用部材（12）を切断するように上記ブレード（30）を進出させるための高圧ガスを発生させるガス発生部（35）と、上記ブレード（30）の進出側端部と対向する壁部（23a）を有して上記通電用部材（12）を切断した後の上記ブレード（30）を受け止めるストッパ（23）とを備えた切断装置であって、上記ストッパ（23）は、上記通電用部材（12）と上記壁部（23a）との間に設けられ、上記通電用部材（12）を切断した後の上記ブレード（30）と当接して変形するように構成された緩衝部（1）を有している。
【０００８】
第１の発明では、ガス発生部（35）が高圧ガスを発生させると、ブレード（30）が通電用部材（12）に向かって進出して通電用部材（12）が切断される。通電用部材（12）を切断した後のブレード（30）は、ストッパ（23）の緩衝部（1）に当接する。このとき、ブレード（30）の運動エネルギは、ストッパ（23）の緩衝部（1）を変形させる変形エネルギに転換され、上記緩衝部（1）を変形させる。つまり、ブレード（30）の運動エネルギが、緩衝部（1）の変形に伴って徐々に減少する。その結果、ブレード（30）がストッパ（23）に衝撃的な力を加えることなく停止することとなる。
【０００９】
第２の発明は、初期位置から所定の進出方向に進出可能に構成されたブレード（30）と、該ブレード（30）の前方に位置する通電用部材（12）を切断するように上記ブレード（30）を進出させるための高圧ガスを発生させるガス発生部（35）と、上記ブレード（30）の進出側端部と対向する壁部（23a）を有して上記通電用部材（12）を切断した後の上記ブレード（30）を受け止めるストッパ（23）とを備えた切断装置であって、上記ストッパ（23）は、上記通電用部材（12）を切断した後の上記ブレード（30）と当接して変形するように構成された緩衝部（1）を有し、上記ストッパ（23）は、上記壁部（23a）の外周縁部から上記ブレード（30）の進出方向とは逆向きに突出して内部に上記ブレード（30）が進出する進出路の一部を形成する筒部（23b）を有し、上記緩衝部（1）は、上記筒部（23b）の内周面から径方向内側に突出する少なくとも１つの突出部（2）によって構成されている。
【００１０】
第２の発明では、通電用部材（12）を切断した後のブレード（30）は、ストッパ（23）の筒部（23b）の内周面から径方向内側に突出する突出部（2）に当接する。このようにブレード（30）が当接することによって、突出部（2）は、ブレード（30）の進出方向に削り取られて変形する。このような突出部（2）の変形により、ブレード（30）の運動エネルギが徐々に減少し、ブレード（30）がストッパ（23）に衝撃的な力を加えることなく停止することとなる。また、上述のように、ブレード（30）が突出部（2）を削りながら進むことにより、ブレード（30）とストッパ（23）の内周面は圧入状態になる。これにより、ブレード（30）が壁部（23a）まで進出して該壁部（23a）に当接する際に、ブレード（30）の跳ね返りが抑制される。
【００１１】
第３の発明は、第２の発明において、上記突出部（2）は、上記筒部（23b）の内周面に沿って該筒部（23b）の軸方向に延びている。
【００１２】
第３の発明では、突出部（2）が筒部（23b）の軸方向に長く形成されているため、ブレード（30）が進出すると、該ブレード（30）によって突出部（2）は連続的に削り取られていく。つまり、ブレード（30）は、進出に伴って連続的に緩衝部（1）を変形させる。これにより、緩衝部（1）の変形に伴うブレード（30）の運動エネルギの減少が緩やかになる。その結果、ブレード（30）がストッパ（23）に衝撃的な力を加えることなく停止することとなる。
【００１３】
第４の発明は、第２の発明において、上記突出部（2）は、上記筒部（23b）の内周面に沿って帯状に形成されると共に周方向に傾斜している。
【００１４】
第４の発明では、突出部（2）が筒部（23b）の内周面に沿って帯状に形成されて周方向に傾斜しているため、ブレード（30）が進出すると、該ブレード（30）によって突出部（2）は連続的に削り取られていく。つまり、ブレード（30）は、進出に伴って連続的に緩衝部（1）を変形させる。これにより、緩衝部（1）の変形に伴うブレード（30）の運動エネルギの減少が緩やかになる。その結果、ブレード（30）がストッパ（23）に衝撃的な力を加えることなく停止することとなる。
【００１５】
また、第４の発明では、突出部（2）が筒部（23b）の内周面に沿って帯状に形成されると共に周方向に傾斜しているため、ブレード（30）によって削り取られた突出部（2）の削り屑は、突出部（2）のブレード（30）進出方向側の隙間に入り込むこととなる。よって、削り屑によってブレード（30）の進出が阻害されることなく、円滑にブレード（30）が進出する。
【００１６】
第５の発明は、第３又は第４の発明において、上記突出部（2）は、上記壁部（23a）に近づくに従って突出高さが高くなるように構成されている。
【００１７】
第６の発明は、第３又は第４の発明において、上記突出部（2）は、上記壁部（23a）に近づくに従って周方向の幅が広くなるように構成されている。
【００１８】
第５及び第６の発明では、ブレード（30）が進出方向に進む程、該ブレード（30）が突出部（2）を削り取る力が大きくなる。つまり、ブレード（30）によってストッパ（23）に作用する力は、ブレード（30）の進出に伴って徐々に大きくなる。
【００１９】
第７の発明は、第３乃至第６のいずれか１つの発明において、上記緩衝部（1）は、上記筒部（23b）の周方向に間隔を空けて配列された複数の上記突出部（2）によって構成されている。
【００２０】
第７の発明では、緩衝部（1）は、筒部（23b）の周方向に間隔を空けて配列された複数の上記突出部（2）によって構成されている。そのため、ブレード（30）が突出部（2）を削りながら進出する際に、ブレード（30）を軸方向から横にずらす力が発生しない。そのため、ブレード（30）が円滑に進出する。
【００２１】
第８の発明は、第３乃至第７のいずれか１つの発明において、上記ストッパ（23）は、上記筒部（23b）の軸方向に直交する断面において、該断面への上記ブレード（30）の垂直投影図と上記突出部（2）との重複部分の面積が、上記突出部（2）と隣る溝空間における上記ブレード（30）の垂直投影図と重複しない部分の面積よりも小さくなるように構成されている。
【００２２】
第８の発明では、突出部（2）のブレード（30）によって削り取られた削り屑は、突出部（2）と隣る溝空間に収容される。ここで、上述のようにストッパ（23）を構成することにより、突出部（2）のブレード（30）によって削り取られる部分よりも削り屑を収容する空間の方が大きく形成される。これにより、削り屑は、溝空間を埋め尽くすことなく該溝空間に収容される。
【００２３】
第９の発明は、第２乃至第８のいずれか１つの発明において、上記ブレード（30）は、上記通電用部材（12）を切断する金属製の切断部（31）と、該切断部（31）の上記進出方向に向かって後側に設けられた絶縁性部材からなる絶縁部（32）とを有し、該絶縁部（32）が上記切断部（31）によって切断された上記通電用部材（12）の切断面に接触するまで進出するように構成されている。
【００２４】
第９の発明では、ブレード（30）が初期位置から所定の進出方向に進出すると、まず切断部（31）が通電用部材（12）を切断した後、該通電用部材（12）の切断面に絶縁部（32）が接触する。これにより、通電用部材（12）の２つの切断片が絶縁される。
【００２５】
第１０の発明は、第９の発明において、上記絶縁部（32）は、上記切断部（31）よりも大径に構成されている。
【００２６】
第１０の発明では、ブレード（30）の切断部（31）が突出部（2）を変形させた後、さらに大径の絶縁部（32）が筒部（23b）内の進出路を通過することとなる。これにより、ブレード（30）が壁部（23a）まで進出して該壁部（23a）に当接する際に、切断部（31）よりも大径の絶縁部（32）が突出部（2）にひっかかることによってブレード（30）の跳ね返りが阻止される。
【００２７】
第１１の発明は、第１乃至第１０のいずれか１つの発明において、上記ストッパ（23）は、樹脂によって構成されている。
【００２８】
第１１の発明では、上記第１乃至第１０の発明と同様に、通電用部材（12）を切断した後のブレード（30）は、ストッパ（23）の緩衝部（1）に当接して該緩衝部（1）を変形させる。このとき、ブレード（30）の運動エネルギは、緩衝部（1）の変形に伴って徐々に減少する。そのため、ブレード（30）は、ストッパ（23）に衝撃的な力を加えることなく停止する。
【発明の効果】
【００２９】
第１の発明によれば、ストッパ（23）が、通電用部材（12）を切断した後のブレード（30）と当接して変形するように構成された緩衝部（1）を有している。このようにストッパ（23）を構成してブレード（30）の運動エネルギを変形エネルギに転換することにより、ストッパ（23）がブレード（30）を受け止める際に、ブレード（30）によってストッパ（23）に衝撃的な力が加わることを防止することができる。従って、ブレード（30）受け止め時のストッパ（23）の破損を防止することができる。よって、ストッパ（23）によってブレード（30）をしっかりと受け止めることができる。
【００３０】
なお、ここで、「破損」とは、ストッパ（23）がブレードを受け止める機能を満足できなくなる程度に損傷することを意味する。以下においても同様である。
【００３１】
また、第２の発明によれば、通電用部材（12）を切断した後のブレード（30）と当接して変形するストッパ（23）の緩衝部（1）を容易に構成することができる。
【００３２】
ところで、ブレード（30）がストッパ（23）の壁部（23a）まで進出して該壁部（23a）に当接して大きく跳ね返ると、ブレード（30）が通電用部材（12）の切断面の間の位置まで戻ってしまい、ブレード（30）を介して切断後の通電用部材（12）に再度電気が流れてしまうおそれがある。
【００３３】
しかしながら、第２の発明によれば、ブレード（30）が突出部（2）を削りながら進むことにより、ブレード（30）とストッパ（23）の内周面は圧入状態になる。これにより、ブレード（30）が壁部（23a）まで進出して該壁部（23a）に当接する際に、ブレード（30）の跳ね返りを抑制することができる。従って、ブレード（30）が通電用部材（12）を切断した後に、ブレード（30）が跳ね返って通電用部材（12）の切断面間の位置まで移動して再度通電してしまうことを防止することができる。
【００３４】
また、第３の発明によれば、突出部（2）を筒部（23b）の内周面に沿って該筒部（23b）の軸方向に長く形成することにより、ブレード（30）の進出に伴って該ブレード（30）の運動エネルギを緩やかに減少させることができる。従って、ブレード（30）受け止め時のストッパ（23）の破損をより防止することができる。よって、ストッパ（23）によってブレード（30）をしっかりと受け止めることができる。
【００３５】
また、第４の発明によれば、突出部（2）が筒部（23b）の内周面に沿って帯状に形成されると共に周方向に傾斜している。そのため、ブレード（30）の進出に伴って該ブレード（30）の運動エネルギを緩やかに減少させることができる。従って、ブレード（30）受け止め時のストッパ（23）の破損をより防止することができる。また、突出部（2）を上述のように構成することにより、ブレード（30）によって削り取られた突出部（2）の削り屑は、突出部（2）のブレード（30）進出方向側の隙間に入り込み、ブレード（30）の進出を阻害しない。これにより、ブレード（30）のひっかかりを防止することができるため、ストッパ（23）に衝撃的な力が作用することを防止することができる。従って、ブレード（30）受け止め時のストッパ（23）の破損を防止することができる。よって、ストッパ（23）によってブレード（30）をしっかりと受け止めることができる。
【００３６】
また、第５の発明によれば、突出部（2）を、壁部（23a）に近づくに従って突出高さが高くなるように構成したため、ブレード（30）の進出に伴ってブレード（30）によってストッパ（23）に作用する力を徐々に大きくすることができる。これにより、ブレード（30）がストッパ（23）に当接する際に衝撃的な力がストッパ（23）に作用することを防止しつつ、ブレード（30）を確実に受け止めることができる。従って、ブレード（30）受け止め時のストッパ（23）の破損を防止することができる。よって、ストッパ（23）によってブレード（30）をしっかりと受け止めることができる。
【００３７】
また、第６の発明によれば、突出部（2）を、壁部（23a）に近づくに従って周方向の幅が広くなるように構成したため、ブレード（30）の進出に伴ってブレード（30）によってストッパ（23）に作用する力を徐々に大きくすることができる。これにより、ブレード（30）がストッパ（23）に当接する際に衝撃的な力がストッパ（23）に作用することを防止しつつ、ブレード（30）を確実に受け止めることができる。従って、ブレード（30）受け止め時のストッパ（23）の破損を防止することができる。よって、ストッパ（23）によってブレード（30）をしっかりと受け止めることができる。
【００３８】
また、第７の発明によれば、緩衝部（1）を、筒部（23b）の周方向に間隔を空けて配列された複数の突出部（2）によって構成したため、ブレード（30）が突出部（2）を削りながら進出する際に、ブレード（30）を軸方向から横にずらす力を発生させることなく、ブレード（30）を円滑に進出させることができる。これにより、ブレード（30）のひっかかりを防止することができるため、ストッパ（23）に衝撃的な力が作用することを防止することができる。従って、ブレード（30）受け止め時のストッパ（23）の破損を防止することができる。よって、ストッパ（23）によってブレード（30）をしっかりと受け止めることができる。
【００３９】
また、第８の発明によれば、突出部（2）のブレード（30）によって削り取られる部分よりも削り屑を収容する空間の方が大きくなるようにストッパ（23）を構成することにより、溝空間が削り屑によって埋め尽くされることを防止することができる。溝空間が削り屑によって埋め尽くされるとブレード（30）が突出部（2）を削り取る際の力が変化してしまうため、ブレード（30）が円滑に進出しないおそれがあるが、上述のように構成することによってブレード（30）を円滑に進出させることができる。これにより、ブレード（30）のひっかかりを防止することができるため、ストッパ（23）に衝撃的な力が作用することを防止することができる。従って、ブレード（30）受け止め時のストッパ（23）の破損を防止することができる。よって、ストッパ（23）によってブレード（30）をしっかりと受け止めることができる。
【００４０】
また、第９の発明によれば、ブレード（30）の進出後に金属製の切断部（31）ではなく絶縁性部材からなる絶縁部（32）が通電用部材（12）の切断面に接触するため、切断後の通電用部材（12）に電気が流れることを確実に阻止することができる。
【００４１】
ところで、ブレード（30）がストッパ（23）の壁部（23a）まで進出して該壁部（23a）に当接して大きく跳ね返ると、金属製の切断部（31）が通電用部材（12）の切断面の間の位置まで戻ってしまい、切断部（31）を介して切断後の通電用部材（12）に電気が流れてしまうおそれがある。
【００４２】
しかしながら、第１０の発明によれば、ブレード（30）の切断部（31）の進出方向の後側に設けられた絶縁部（32）を、切断部（31）よりも大径に構成することにより、ブレード（30）の先端がストッパ（23）の壁部（23a）に当接する際の跳ね返りを阻止することができる。従って、切断後の通電用部材（12）に電気が流れることを防止することができる。
【００４３】
また、第１１の発明によれば、ストッパ（23）が、ブレード（30）の運動エネルギを徐々に低下させてブレード（30）の進出を停止するように構成されているため、金属等に比べて剛性の低い樹脂によってストッパ（23）を構成しても、ブレード（30）受け止め時のストッパ（23）の破損を防止することができる。よって、ストッパ（23）によってブレード（30）をしっかりと受け止めることができる。
【図面の簡単な説明】
【００４４】
【図１】図１は、本実施形態１に係る切断装置の平面断面図である。
【図２】図２は、図１のII−II線に沿う側面断面図である。
【図３】図３は、図１のIII−III線に沿う断面図である。
【図４】図４は、本実施形態１に係る切断装置の外観構造を示す斜視図である。
【図５】図５は、本実施形態１に係る切断装置の内部構造を示す斜視図である。
【図６】図６は、本実施形態１に係るブレード及びハーネスを示す斜視図である。
【図７】図７は、本実施形態１に係るブレードを示す斜視図である。
【図８】図８は、本実施形態１に係るストッパの断面図である。
【図９】図９は、図８のIX−IX線に沿う断面図である。
【図１０】図１０は、本実施形態１に係るストッパの構成を説明するための図である。
【図１１】図１１（Ａ）乃至（Ｄ）は、本実施形態１に係る切断装置のブレードの動作を示す模式図であり、（Ａ）はブレードがハーネスを切断する前の様子を示し、（Ｂ）はブレードがハーネスを切断した直後の様子を示し、（Ｃ）はブレードが緩衝部を変形させる際の様子を示し、（Ｄ）はブレードが停止する際の様子を示している。
【図１２】図１２は、本実施形態１の変形例１に係るストッパの断面図である。
【図１３】図１３は、本実施形態１の変形例２に係るストッパの断面図である。
【図１４】図１４は、本実施形態１の変形例３に係るストッパの断面図である。
【図１５】図１５は、本実施形態１の変形例４に係るストッパの断面図である。
【図１６】図１６は、本実施形態２に係るブレーカを示す概略構成図である。
【図１７】図１７は、本実施形態３に係る接触器を示す概略構成図である。
【図１８】図１８は、本実施形態４に係る電気回路遮断器を示す概略構成図である。
【発明を実施するための形態】
【００４５】
以下、本発明の実施形態を図面に基づいて詳細に説明する。
【００４６】
〈発明の実施形態１〉
図１〜図５に示すように、本実施形態１に係る切断装置（10）は、ガス発生剤の反応により発生した高圧ガスを用いてブレード（30）を進出させることによって、本発明に係る通電用部材を構成するハーネス（12）を切断するように構成されている。この切断装置（10）は、高圧ガスを発生させるためのガス発生剤として火薬を用いている。
【００４７】
具体的には、上記切断装置（10）は、図１及び図５に示すように、ケース（11）を備え、該ケース（11）の内部に、ストッパ（23）と内筒（24）とブレード（30）とガス発生部（35）とが収容されている。                                             
【００４８】
なお、図１は切断装置（10）の平面断面図であり、図２は図１のII−II線に沿う側面断面図であり、以下では説明の便宜上、図２における左右方向の左側を「前側」、右側を「後側」と称し、図２における上下方向の上側を「上側」、下側を「下側」と称して説明する。また、図２における紙面に直交する方向の手前側を「左側」、奥側を「右側」と称して説明する。
【００４９】
図１、図２、図４及び図５に示すように、上記ケース（11）は、箱状に形成された樹脂ケース（20）と筒状に形成された金属ケース（27）とを備えている。該金属ケース（27）の前側部分は樹脂ケース（20）内の後述する挿通孔（21）に収容されている。
【００５０】
上記樹脂ケース（20）は、例えばＰＣ（ポリカーボネート）等の樹脂によって形成されている。上記樹脂ケース（20）を構成する樹脂材料は、これに限られず、プラスチック等を含む樹脂材料であればよい。また、上記樹脂ケース（20）は、略直方体形状に形成された土台部（13）と、該土台部（13）の下面（13a）及び後面（13b）以外の面を一体的に覆うカバー部（14）とを有している。
【００５１】
上記土台部（13）は、上面（13c）に断面が半円形状の溝（21a）が形成されている。該溝（21a）は、土台部（13）の後面（13b）から前面（13d）に向かって延び、後面（13b）のみに開口するように構成されている。
【００５２】
上記カバー部（14）は、土台部（13）の上面（13c）、前面（13d）、左面（13e）及び右面（13f）を覆うように構成されている。カバー部（14）の土台部（13）の上面（13c）との対向面（14a）には、土台部（13）の溝（21a）に対応する溝（21b）が形成されている。該溝（21b）は、カバー部（14）の後面（14b）から前面（14c）に向かって延び、後面（14b）のみに開口するように構成されている。
【００５３】
このような構成により、樹脂ケース（20）の内部には、上記土台部（13）の溝（21a）と上記カバー部（14）の溝（21b）とによって、樹脂ケース（20）の後端面に開口する略円柱形状の挿通孔（21）が形成される。該挿通孔（21）には、前端から後端に向かって、上記ストッパ（23）、内筒（24）及び金属ケース（27）の前側部分が収容されている。
【００５４】
また、樹脂ケース（20）には、ハーネス（12）を設置するための設置孔（22）が土台部（13）とカバー部（14）とに跨って形成されている。該設置孔（22）は、挿通孔（21）の軸心を含む鉛直面に関して対称な形状に形成されている。具体的には、設置孔（22）は、挿通孔（21）の前後方向の中央部から左右方向にそれぞれ延びた後、後方向きに折れ曲がり、その後さらに下方向きに折れ曲がって土台部（13）の下面（13a）まで延びている。また、設置孔（22）は、挿通孔（21）から左右方向に延びて後方に折れ曲がったところまでが幅の狭い幅狭部（22a）に構成され、その後下方向きに延びる部分は幅狭部（22a）よりも幅の広い幅広部（22b）に構成されている。
【００５５】
上記設置孔（22）に設置されるハーネス（12）は長板状に形成され、図３、図５及び図６に示すように、略Ｕ字形状に折り曲げ形成された幅狭部（12a）と、該幅狭部（12a）の両端にそれぞれ連続する２つの幅広部（12b）とを有している。２つの幅広部（12b）は、それぞれ略Ｌ字状の板状片となるように構成されている。ハーネス（12）の一部は、上記樹脂ケース（20）の設置孔（22）において、幅狭部（12a）が設置孔（22）の幅狭部（22a）に位置し、幅広部（12b）の一部が設置孔（22）の幅広部（22b）に位置するように設置されている。
【００５６】
また、図１に示すように、樹脂ケース（20）には、挿通孔（21）と設置孔（22）とを連通する排出通路（28）が土台部（13）とカバー部（14）とに跨って形成されている。該排出通路（28）は、後述するガス発生部（35）によってブレード（30）を進出させるために生成された高圧ガスを排出する排ガス路の一部を構成する。排出通路（28）は、一端が設置孔（22）の幅狭部（22a）の後方側において挿通孔（21）に連通し、他端が設置孔（22）の幅広部（22b）に連通するように形成されている。
【００５７】
さらに、樹脂ケース（20）には、挿通孔（21）の前端から空気を排出するための排気孔（29）が形成されている。該排気孔（29）は、挿通孔（21）の前端の中央部から前方に向かって延びた後、下方向きに折れ曲がって土台部（13）の下面（13a）まで延びている。
【００５８】
上記ストッパ（23）は、進出したブレード（30）を受け止めて停止させるためのものである。ストッパ（23）は、挿通孔（21）の前端部に配置され、樹脂材料によって有底円筒形状に形成されている。具体的には、ストッパ（23）は、円板状の底部（23a）と円筒状の筒部（23b）とを有し、挿通孔（21）の前端部において底部（23a）が筒部（23b）よりも前方に位置するように配置されている。底部（23a）の中央部には、上記樹脂ケース（20）の排気孔（29）に連通する孔（23c）が形成されている。なお、ストッパ（23）の詳細な構造については後述する。
【００５９】
上記内筒（24）は、挿通孔（21）において上記ストッパ（23）の後方に配置されて、ハーネス（12）を支持するためのものである。内筒（24）は、第１内筒部材（25）と第２内筒部材（26）とで構成され、両部材（25,26）でハーネス（12）を挟持している。
【００６０】
上記第１内筒部材（25）は、セラミックスによって略円筒状に形成され、挿通孔（21）のストッパ（23）の後方において、ストッパ（23）と同軸となるように配置されている。第１内筒部材（25）は、ブレード（30）が挿通可能な内径に構成されている。
【００６１】
上記第２内筒部材（26）は、樹脂材料によって略円筒状に形成され、挿通孔（21）の第１内筒部材（25）の後方において、第１内筒部材（25）と同軸となるように配置されている。第２内筒部材（26）は、内径が第１内筒部材（25）の内径と概ね等しくなるように構成されている。また、第２内筒部材（26）は、後側部分が前側部分よりも肉薄に構成されて外径が小さくなっている。第２内筒部材（26）の前側部分には、ハーネス（12）を挿通するための２つの切り欠き（26a）が形成されている。２つの切り欠き（26a）は、上記樹脂ケース（20）の設置孔（22）に対応する位置に形成されている。各切り欠き（26a）は、第２内筒部材（26）の外周縁から内周縁に向かって延び、断面がハーネス（12）の矩形断面よりも僅かに大きな矩形断面となるように形成されている。また、第２内筒部材（26）の肉薄の後側部分の外周面には、環状の溝が形成され、該溝にはＯリング（26b）が設置されている。
【００６２】
このように、内筒（24）では、絶縁部材である第１内筒部材（25）、及び第２内筒部材（26）がハーネス（12）を両側から挟み込むことで、ハーネス（12）を支持している。
【００６３】
上記金属ケース（27）は、金属材料によって略円筒状に形成され、前側部分が挿通孔（21）に収容される一方、後側部分は樹脂ケース（20）から露出している。金属ケース（27）の前側部分は、挿通孔（21）の第２内筒部材（26）の後方において、第２内筒部材（26）と同軸となるように配置されている。また、金属ケース（27）は、前端部が第２内筒部材（26）の肉薄の後側部分に外嵌されている。第２内筒部材（26）の後側部分と該後側部分に外嵌された金属ケース（27）の前端部との間は、上記Ｏリング（26b）によってシールされている。また、金属ケース（27）の前端部には貫通孔（27a）が形成されている。該貫通孔（27a）は、上記樹脂ケース（20）の排出通路（28）と対応する位置に形成され、金属ケース（27）の前端部と第２内筒部材（26）の後端面との間の隙間に連通している。金属ケース（27）の前側部分であって上記前端部以外の部分は、内径が第２内筒部材（26）の内径と概ね等しくなるように構成されている。
【００６４】
以上のように、挿通孔（21）に収容されたストッパ（23）、内筒（24）及び金属ケース（27）によって、その内部に略円柱状の通路（17）が形成され、該円柱通路（17）の一部が本発明に係るブレード（30）の進出路を構成している。また、上記円柱通路（17）は、前端部はストッパ（23）の底部（23a）によって閉塞される一方、後端部は上記金属ケース（27）の内部に収容されたガス発生部（35）によって閉塞されている。上記円柱通路（17）には、上記設置孔（22）に収容されたハーネス（12）の幅狭部（12a）の一部が露出すると共に、該露出部分と上記ガス発生部（35）との間にブレード（30）が収容されている。
【００６５】
上記ガス発生部（35）は、ブレード（30）を進出させてハーネス（12）を切断させるための高圧ガスを発生させるものである。ガス発生部（35）は、ガス発生剤としての火薬と、該火薬を起爆するための発火部（37）と、該発火部（37）を保持して上記円柱通路（17）の後端部を閉塞する蓋部材（39）とを備えている。
【００６６】
蓋部材（39）は、略円筒状に形成されて金属ケース（27）に内嵌された筒部（39a）と、上記発火部（37）を保持すると共に筒部（39a）の中途部を閉塞する閉塞部（39b）とを有している。筒部（39a）及び閉塞部（39b）は、金属材料によって一体に形成されている。閉塞部（39b）によって、上記円柱通路（17）内のブレード（30）の後方には閉空間が形成され、該閉空間は上記火薬が充填されたガス発生室（36）を構成している。
【００６７】
発火部（37）は、雷管によって構成され、起爆薬を有する前端部が上記ガス発生室（36）内に露出するように蓋部材（39）の閉塞部（39b）に保持されている。
【００６８】
このような構成により、発火部（37）によってガス発生室（36）内の火薬が爆発すると、ガス発生室（36）内で高圧ガスが発生し、該高圧ガスがガス発生室（36）内の圧力を上昇させることによってブレード（30）を前方に進出させる。
【００６９】
上記ブレード（30）は、高圧ガスを受けて上記円柱通路（17）内を前方に進出してハーネス（12）を切断するためのものである。ブレード（30）は、図６及び図７に示すように、金属材料（例えば、鋼材）によって形成された切断部（31）と、該切断部（31）を取り付けるプッシャー（32）とを備えている。
【００７０】
上記プッシャー（32）は、ブレード（30）を保持すると共に、上記ガス発生室（36）において発生した高圧ガスの圧力を受けて切断部（31）を前方に進出させるものである。プッシャー（32）は、樹脂材料によって略円柱状に形成され、上記円柱通路（17）のガス発生部（35）の前方に収容されている。プッシャー（32）は、後述する切断部（31）よりも僅かに大径に形成され、本発明に係る絶縁部を構成している。
【００７１】
上記切断部（31）は、プッシャー（32）の前端部に取り付けられ、刃部（31a）と、該刃部（31a）と一体に形成された一対のガイド部（31b,31b）とを有している。刃部（31a）は、肉厚の円板状の部材によって構成され、前面の上下方向中央部が後方に凹んだ形状に構成されている。一方、一対のガイド部（31b,31b）は、上記刃部（31a）の前面の上端部と下端部とから前方に突出する突起によって構成されている。一対のガイド部（31b,31b）は、刃部（31a）の前面からハーネス（12）を避けて該ハーネス（12）よりも前方に突出している。各ガイド部（31b,31b）の内面はハーネス（12）の側面に沿う形状に形成される一方、外面は円柱通路（17）を形成する壁面に沿う形状に形成されている。また、刃部（31a）の前面の外縁部であって一対のガイド部（31b,31b）によって挟まれる部分が、ハーネス（12）を切断する刃先部に構成されている。
【００７２】
〈ストッパ〉
上述のように、図８及び図９に示すように、本発明に係るストッパ（23）は、底部（23a）と、筒部（23b）と、本発明に係る緩衝部（1）とを有している。
【００７３】
底部（23a）は円板状に形成されている。筒部（23b）は、上記底部（23a）の外周縁部から後方に突出している。また、筒部（23b）は、内径がブレード（30）よりも大径になるように形成され、ブレード（30）が進出する進出路の一部を形成している。
【００７４】
緩衝部（1）は、ハーネス（12）を切断した後のブレード（30）と当接して変形するように構成されている。緩衝部（1）は、実施形態１では、筒部（23b）から径方向内側に突出する８つの突出部（2）によって構成されている。８つの突出部（2）は、同形状に形成されて周方向に略等間隔に配列されている。
【００７５】
各突出部（2）は、底部（23a）及び筒部（23b）と共に樹脂材料によって一体に形成されている。また、各突出部（2）は、筒部（23b）の内周面に沿って該筒部（23b）の後端部から底部（23a）に向かって軸方向に長く形成されている。各突出部（2）は、突出高さが筒部（23b）の内周半径Ｒからブレード（30）の切断部（31）の外周半径ｒを減じた値の２倍程度となるように構成されている。隣り合う各突出部（2）の間には、軸方向に延びる溝（3）が形成されている。
【００７６】
また、ストッパ（23）は、図１０に示すように、筒部（23b）の軸方向に直交する断面において、該断面へのブレード（30）の垂直投影図と８つの突出部（2）との重複部分（図１０における塗り潰し部分）の面積が、８つの突出部（2）と隣る８つの溝空間におけるブレード（30）の垂直投影図と重複しない部分（図１０における斜線部分）の面積よりも小さくなるように構成されている。つまり、ストッパ（23）は、筒部（23b）の軸方向に直交する断面において、突出部（2）のブレード（30）によって削り取られる部分よりも削り屑が収容される空間の方が面積が大きくなるように構成されている。
【００７７】
−切断装置の動作−
本実施形態１の切断装置（10）は、例えば工場などの電気機器のハーネス（12）が第１内筒部材（25）と第２内筒部材（26）との間を通るように、設置孔（22）に挿通されて設置される。ハーネス（12）は、第１内筒部材（25）及び第２内筒部材（26）に挟まれて支持される。
【００７８】
上記切断装置（10）は、発火部（37）が火災報知器や地震警報機などに接続された状態で設置される。発火部（37）には、火災報知器が火災を感知したときや、地震警報機が地震を感知したときに、警告信号が入力される。警告信号が入力されると、発火部（37）はガス発生室（36）内の火薬を爆発させる。
【００７９】
図１１（Ａ）〜（Ｄ）に示すように、火薬が爆発すると、爆発に伴って高圧ガスが発生することでガス発生室（36）の圧力が上昇し、ブレード（30）には前方への推力が与えられる。これにより、ブレード（30）が前方に進出して、切断部（31）の刃部（31a）がハーネス（12）を瞬時に切断する（図１１（Ａ）及び（Ｂ）参照）。
【００８０】
ここで、ブレード（30）が前進する際、円柱通路（17）内のブレード（30）の前方の空気は、ストッパ（23）の底部（23a）の孔（23c）及び樹脂ケース（20）の排気孔（29）によって構成される排気路を通って切断装置（10）の外部へ排出される（図１及び図２参照）。これにより、ブレード（30）の進出によってブレード（30）前方の空気が圧縮されてブレード（30）の進出を阻害することがないため、ブレード（30）が円滑に進出することとなる。
【００８１】
ブレード（30）は、ハーネス（12）を切断した後、さらに前方に進出してストッパ（23）の各突出部（2）に当接する（図１１（Ｃ）参照）。各突出部（2）は樹脂材料によって構成されているため、ブレード（30）が当接することによって変形する。具体的には、各突出部（2）は、ブレード（30）が前方に進出することによって削り取られていく。つまり、ブレード（30）の運動エネルギが、各突出部（2）を変形させる変形エネルギに転換され、各突出部（2）が変形する。
【００８２】
ところで、本実施形態１では、各突出部（2）は、突出高さが筒部（23b）の内周半径Ｒからブレード（30）の切断部（31）の外周半径ｒを減じた値の２倍程度となるように構成されている。そのため、切断部（31）は、各突出部（2）の内側半分程度を削り取る。また、削り屑は、切断部（31）の外周面と筒部（23b）の内周面との間であって、各突出部（2）間に形成された溝（3）内の空間に収容されるため、ブレード（30）の前方に溜まって該ブレード（30）を詰まらせない。また、ストッパ（23）は、削り屑によって溝（3）内の空間が埋め尽くされないように、突出部（2）のブレード（30）によって削り取られる部分よりも削り屑が収容される空間の方が大きくなるように構成されている。そのため、ブレード（30）は、削り屑によって進出を阻害されることなく、円滑に進出する。
【００８３】
このようにブレード（30）が本発明に係る緩衝部（1）を構成する８つの突出部（2）を塑性変形させながら進むことにより、運動エネルギが徐々に減少することとなる。そして、やがてブレード（30）はストッパ（23）の底部（23a）に当接して停止する（図１１（Ｄ）参照）。
【００８４】
なお、ブレード（30）は、停止位置においてプッシャー（32）がハーネス（12）の切断箇所に接触するように構成されている。そのため、切断されたハーネス（12）が切断部（31）を介して再び通電されることが阻止される。
【００８５】
また、ブレード（30）は、切断部（31）の後方のプッシャー（32）が切断部（31）よりも僅かに大径になるように形成されている。そのため、ブレード（30）がストッパ（23）の底部（23a）まで進出して該底部（23a）に当接する際に、切断部（31）よりも大径のプッシャー（32）が突出部（2）にひっかかることによってブレード（30）の跳ね返りが阻止される。
【００８６】
また、ブレード（30）の前進後、ブレード（30）の後方のガス発生室（36）に充満するガスは、金属ケース（27）の前端部と第２内筒部材（26）の後端面との間の隙間、金属ケース（27）の貫通孔（27a）及び樹脂ケース（20）の排出通路（28）によって構成される排ガス路を通って切断装置（10）の外部へ排出される（図１参照）。よって、ガス発生室（36）内の火薬の燃えかすや生成物等の導電性物質を含むガスがハーネス（12）側に進出して切断面に導電性物質が付着して放電が生じることを防止することができる。
【００８７】
−実施形態１の効果−
上記実施形態１によれば、ストッパ（23）が、底部（23a）の後方に設けられてハーネス（12）を切断した後のブレード（30）と当接して変形するように構成された緩衝部（1）を有している。このようにストッパ（23）を構成してブレード（30）の運動エネルギを変形エネルギに転換することにより、ストッパ（23）がブレード（30）を受け止める際に、ブレード（30）によってストッパ（23）に衝撃的な力が加わることを防止することができる。従って、ブレード（30）受け止め時のストッパ（23）の破損を防止することができる。よって、ストッパ（23）によってブレード（30）をしっかりと受け止めることができる。
【００８８】
また、上記実施形態１によれば、ストッパ（23）の筒部（23b）の内周面から径方向内側に突出する突出部（2）によって緩衝部（1）を構成している。これにより、ハーネス（12）を切断した後のブレード（30）は、突出部（2）に当接して該突出部（2）を削り取ることによって該突出部（2）を変形させる。その結果、ブレードの運動エネルギが徐々に減少して、ブレードがストッパに衝撃的な力を加えることなく停止することとなる。このように緩衝部（1）を突出部（2）によって構成することにより、ストッパ（23）の緩衝部（1）を容易に構成することができる。
【００８９】
また、上記実施形態１によれば、ストッパ（23）の緩衝部（1）を構成する各突出部（2）を筒部（23b）の内周面に沿って該筒部（23b）の軸方向に長く形成することにより、ブレード（30）の進出に伴って該ブレード（30）の運動エネルギを緩やかに減少させることができる。従って、ブレード（30）受け止め時のストッパ（23）の破損をより防止することができる。よって、ストッパ（23）によってブレード（30）をしっかりと受け止めることができる。
【００９０】
また、上記実施形態１によれば、緩衝部（1）を、筒部（23b）の周方向に略等間隔に配列された８つの突出部（2）によって構成したため、ブレード（30）が突出部（2）を削りながら進出する際に、ブレード（30）を軸方向から横にずらす力が発生しない。そのため、ブレード（30）を円滑に進出させることができる。これにより、ブレード（30）のひっかかりを防止することができるため、ストッパ（23）に衝撃的な力が作用することを防止することができる。従って、ブレード（30）受け止め時のストッパ（23）の破損を防止することができる。よって、ストッパ（23）によってブレード（30）をしっかりと受け止めることができる。
【００９１】
なお、複数の突出部（2）は、等間隔に配列されることが好ましいが、各突出部（2）の間隔が異なっていてももちろんよい。各突出部（2）の間隔が異なっていても、緩衝部（1）が複数の突出部（2）によって構成されることにより、上述のように、ブレード（30）が突出部（2）を削りながら進出する際に、ブレード（30）を軸方向から横にずらす力が発生し難くなり、ブレード（30）を円滑に進出させることができる。
【００９２】
また、上記実施形態１によれば、突出部（2）のブレード（30）によって削り取られる部分よりも削り屑を収容する空間の方が大きくなるようにストッパ（23）を構成することにより、溝空間が削り屑によって埋め尽くされることを防止することができる。溝空間が削り屑によって埋め尽くされるとブレード（30）が突出部（2）を削り取る際の力が変化してしまうため、ブレード（30）が円滑に進出しないおそれがあるが、上述のように構成することによってブレード（30）を円滑に進出させることができる。これにより、ブレード（30）のひっかかりを防止することができるため、ストッパ（23）に衝撃的な力が作用することを防止することができる。従って、ブレード（30）受け止め時のストッパ（23）の破損を防止することができる。よって、ストッパ（23）によってブレード（30）をしっかりと受け止めることができる。
【００９３】
また、上記実施形態１によれば、ブレード（30）は、切断部（31）の後方に絶縁性部材の樹脂からなるプッシャー（32）が設けられ、ハーネス（12）を切断した後、該ハーネス（12）の切断面にプッシャー（32）が接触するまで進出するように構成されている。そのため、ブレード（30）の進出後に金属製の切断部（31）がハーネス（12）の切断面に接触することがなく、切断後のハーネス（12）に電気が流れることを確実に阻止することができる。
【００９４】
ところで、ブレード（30）がストッパ（23）の底部（23a）まで進出して該底部（23a）に当接して大きく跳ね返ると、金属製の切断部（31）がハーネス（12）の切断面の間の位置まで戻ってしまい、切断部（31）を介して切断後のハーネス（12）に電気が流れてしまうおそれがある。
【００９５】
しかしながら、上記実施形態１によれば、ブレード（30）の切断部（31）の後方に設けられたプッシャー（32）が切断部（31）よりも大径に構成されているため、ブレード（30）が底部（23a）まで進出して該底部（23a）に当接する際に、切断部（31）よりも大径のプッシャー（32）が突出部（2）にひっかかることによってブレード（30）の跳ね返りを阻止することができる。従って、切断後のハーネス（12）に電気が流れることを防止することができる。
【００９６】
また、上記実施形態１では、金属等に比べて剛性の低い樹脂によってストッパ（23）を構成しているが、上述のようにストッパ（23）を構成することにより、ストッパ（23）がブレード（30）を受け止める際に、ブレード（30）によってストッパ（23）に衝撃的な力が加わることを防止することができる。よって、金属等に比べて剛性の低い樹脂によってストッパ（23）を構成することとしても、ブレード（30）受け止め時のストッパ（23）の破損を防止することができる。よって、ストッパ（23）によってブレード（30）をしっかりと受け止めることができる。
【００９７】
−実施形態１の変形例１−
図１２に示すように、実施形態１の変形例１に係る切断装置（10）は、実施形態１に係る切断装置（10）とは、ストッパ（23）の構成が異なっている。具体的には、本変形例１に係る切断装置（10）では、ストッパ（23）の緩衝部（1）を構成する８つの突出部（2）は、筒部（23b）の内周面に沿って帯状に形成されると共に周方向に傾斜している。これにより、隣り合う各突出部（2）の間に形成される溝（3）は、軸方向ではなく筒部（23b）の内周面に沿って周方向に傾斜した方向に長く形成されることとなる。つまり、実施形態１とは異なり、各突出部（2）の前方、即ちブレード（30）進出方向側に溝（3）が形成されることとなる。その他の構成は実施形態１と同様である。
【００９８】
このように各突出部（2）を形成することにより、各突出部（2）のブレード（30）によって削り取られた削り屑が溝（3）に入り込み易くなる。よって、各突出部（2）のブレード（30）によって削り屑によってブレード（30）の進出が阻害されない。これにより、ブレード（30）のひっかかりを防止することができるため、ストッパ（23）に衝撃的な力が作用することを防止することができる。従って、ブレード（30）受け止め時のストッパ（23）の破損を防止することができる。よって、ストッパ（23）によってブレード（30）をしっかりと受け止めることができる。
【００９９】
−実施形態１の変形例２−
図１３に示すように、実施形態１の変形例２に係る切断装置（10）は、実施形態１に係る切断装置（10）とは、ストッパ（23）の構成が異なっている。具体的には、本変形例２に係る切断装置（10）では、ストッパ（23）の緩衝部（1）を構成する８つの突出部（2）が底部（23a）に近づくに従って突出高さが高くなるように構成されている。その他の構成は実施形態１と同様である。
【０１００】
このような構成により、ブレード（30）が進出方向に進む程、該ブレード（30）が突出部（2）を削り取る力が大きくなる。これにより、ブレード（30）によってストッパ（23）に作用する力は、ブレード（30）の進出に伴って徐々に大きくなる。その結果、ブレード（30）がストッパ（23）に当接する際に衝撃的な力がストッパ（23）に作用することを防止しつつ、ブレード（30）を確実に受け止めることができる。従って、ブレード（30）受け止め時のストッパ（23）の破損を防止することができる。よって、ストッパ（23）によってブレード（30）をしっかりと受け止めることができる。
【０１０１】
−実施形態１の変形例３−
図１４に示すように、実施形態１の変形例３に係る切断装置（10）は、実施形態１に係る切断装置（10）とは、ストッパ（23）の構成が異なっている。具体的には、本変形例２に係る切断装置（10）では、ストッパ（23）の緩衝部（1）を構成する８つの突出部（2）が底部（23a）に近づくに従って周方向の幅が広くなるように構成されている。その他の構成は実施形態１と同様である。
【０１０２】
このような構成により、ブレード（30）が進出方向に進む程、該ブレード（30）が突出部（2）を削り取る力が大きくなる。これにより、ブレード（30）によってストッパ（23）に作用する力は、ブレード（30）の進出に伴って徐々に大きくなる。その結果、ブレード（30）がストッパ（23）に当接する際に衝撃的な力がストッパ（23）に作用することを防止しつつ、ブレード（30）を確実に受け止めることができる。従って、ブレード（30）受け止め時のストッパ（23）の破損を防止することができる。よって、ストッパ（23）によってブレード（30）をしっかりと受け止めることができる。
【０１０３】
−実施形態１の変形例４−
図１５に示すように、実施形態１の変形例４に係る切断装置（10）は、実施形態１に係る切断装置（10）とは、ストッパ（23）の構成が異なっている。具体的には、本変形例４に係る切断装置（10）では、ストッパ（23）の緩衝部（1）を構成する８つの突出部（2）のうち、４つの突出部（2）が実施形態１よりも軸方向に短く形成されている。軸方向に短く形成された４つの突出部（2）は、実施形態１の突出部（2）の軸方向長さの半分程度の長さに形成されている。長短２種類の突出部（2）は周方向に交互に設けられ、軸方向に短く形成された４つの突出部（2）は、筒部（23b）の軸方向の中央部から前側に位置するように設けられている。その他の構成は実施形態１と同様である。
【０１０４】
このような構成により、ブレード（30）がストッパ（23）の筒部（23b）内に進出すると、まず、軸方向に長く形成された４つの突出部（2）と当接して該突出部（2）を変形させる。そして、ブレード（30）がさらに前進したところで、軸方向に短く形成された４つの突出部（2）と当接して該突出部（2）を変形させる。つまり、ブレード（30）が進出方向に進む程、該ブレード（30）と当接する突出部（2）の数が増加する。これにより、ブレード（30）によってストッパ（23）に作用する力は、ブレード（30）の進出に伴って徐々に大きくなる。その結果、ブレード（30）がストッパ（23）に当接する際に衝撃的な力がストッパ（23）に作用することを防止しつつ、ブレード（30）を確実に受け止めることができる。従って、ブレード（30）受け止め時のストッパ（23）の破損を防止することができる。よって、ストッパ（23）によってブレード（30）をしっかりと受け止めることができる。
【０１０５】
〈発明の実施形態２〉
次に、本実施形態２について説明する。図１６に示すように、本実施形態２は、本発明に係る切断装置（10）を備えたブレーカ（50）である。このブレーカ（50）は、樹脂製のケーシング（図示省略）に設けられた負荷側端子（55）及び電源側端子（54）と、負荷側端子（55）と電源側端子（54）とを接続するためのハーネス（12）により構成された端子間部材（51）とを備えている。
【０１０６】
上記端子間部材（51）は、負荷側端子（55）に接続された固定接触子（52）と、電源側端子（54）に接続された可動接触子（53）とを備えている。可動接触子（53）は、固定接触子（52）に接触する接触位置と、固定接触子（52）から離れた非接触位置との間で移動可能に設けられている。可動接触子（53）が接触位置に移動すると、可動接触子（53）の可動接点（53a）が固定接触子（52）の固定接点（52a）に接触する。
【０１０７】
さらに、ブレーカ（50）は、可動接触子（53）を手動で動かすためのリンク機構（58）と、異常電流時に可動接触子（53）を固定接触子（52）から引き離すためのトリップ機構（56）と、可動接触子（53）を固定接触子（52）から引き離すように可動接触子（53）を付勢する付勢バネ（60）とを備えている。リンク機構（58）は、ケーシングに取り付けられ、手動レバー（57）の操作によって可動接触子（53）を接触位置と非接触位置との間で移動させることができるように構成されている。トリップ機構（56）は、バイメタルによって構成され、可動接触子（53）と電源側端子（54）とを接続している。トリップ機構（56）は、過電流時（異常電流時）に熱変形し、その熱変形によってリンク機構（58）を動かして、可動接触子（53）を固定接触子（52）から引き離す。可動接触子（53）が固定接触子（52）から引き離されると、ブレーカ（50）は通電不能になる。
【０１０８】
さらに、ブレーカ（50）は、上述の切断装置（10）と、可動接点（53a）と固定接点（52a）とが溶着したことを検出する溶着検出部（65）とを備えている。なお、切断装置（10）には、実施形態１及び後述するその他の実施形態の何れの切断装置（10）を用いてもよい。
【０１０９】
上記切断装置（10）は、端子間部材（51）を切断可能な位置に設けられている。具体的に、切断装置（10）は、端子間部材（51）の裏側（図１６における下側）に設けられている。
【０１１０】
上記溶着検出部（65）は、例えば端子間部材（51）に接続され、端子間部材（51）の電流値に基づいて可動接点（53a）と固定接点（52a）とが溶着しているか否かを検出するように構成されている。溶着検出部（65）には、切断装置（10）の発火部（37）が接続されている。溶着検出部（65）は、可動接点（53a）と固定接点（52a）とが溶着していると判定すると、発火部（37）を作動させるように構成されている。
【０１１１】
本実施形態２では、溶着検出部（65）が可動接点（53a）と固定接点（52a）とが溶着していると判定すると、発火部（37）が作動して火薬が爆発し、ブレード（30）が進出する。ブレード（30）は、端子間部材（51）を切断（破断）した後に、プッシャー（32）が端子間部材（51）の切断面に接触する状態で停止する。このため、端子間部材（51）の切断面の間が絶縁され、電源側端子（54）と負荷側端子（55）の間が通電不能になる。
【０１１２】
−実施形態２の効果−
本実施形態２では、切断装置（10）によって、電源側端子（54）と負荷側端子（55）の間を強制的に通電不能にすることが可能である。このため、例えば可動接触子（53）と固定接触子（52）が溶着した場合であっても、切断装置（10）によって電源側端子（54）と負荷側端子（55）の間を強制的に通電不能にすることで、負荷側の機器の故障を防止することができる。その他の構成、作用・効果は実施形態１と同様である。
【０１１３】
〈発明の実施形態３〉
次に、本実施形態３について説明する。図１７に示すように、本実施形態３は、本発明に係る切断装置（10）を備えた接触器である。この接触器（70）は、図１７に示すように、樹脂製のケーシング（86）に設けられた負荷側端子（75）及び電源側端子（74）と、負荷側端子（75）と電源側端子（74）とを接続するためのハーネス（12）により構成された端子間部材（71）とを備えている。
【０１１４】
上記端子間部材（71）は、負荷側端子（75）に接続された第１固定接触子（68）と、電源側端子（74）に接続された第２固定接触子（69）と、後述する可動鉄心（81）に連結された可動接触子（73）とを備えている。上記可動接触子（73）は、一対の固定接触子（68,69）に接触する接触位置と、一対の固定接触子（68,69）から離れた非接触位置との間で移動可能に設けられている。可動接触子（73）が接触位置に移動すると、可動接触子（73）の一端の可動接点（73a）が第１固定接触子（68）の第１固定接点（68a）に接触すると共に、可動接触子（73）の他端の可動接点（73b）が第２固定接触子（69）の第２固定接点（69a）に接触する。
【０１１５】
さらに、接触器（70）は、可動接触子（73）を接触位置と非接触位置の間で動かすための移動機構（76）を備えている。この移動機構（76）は、可動鉄心（81）と固定鉄心（82）と励磁コイル（83）と巻枠（84）とを備えている。固定鉄心（82）はケーシング（86）の底面に固定されている。可動鉄心（81）は、固定鉄心（82）の上側に対面するように設けられている。励磁コイル（83）は巻枠（84）に巻かれている。可動鉄心（81）と巻枠（84）との間には、非通電時に可動鉄心（81）と固定鉄心（82）とを離間させるための一対の復帰バネ（79）が設けられている。
【０１１６】
上記移動機構（76）は、外部からの信号によって励磁コイル（83）が通電されると、固定鉄心（82）が励磁されて可動鉄心（81）を引き寄せるように構成されている。可動鉄心（81）から固定鉄心（82）が離れると、接触器（70）は通電状態になる。一方、移動機構（76）は、外部からの信号によって励磁コイル（83）の通電が停止されると、復帰バネ（79）によって可動鉄心（81）が固定鉄心（82）から離れるように構成されている。可動鉄心（81）が固定鉄心（82）に引き寄せられると、接触器（70）は非通電状態になる。
【０１１７】
さらに、接触器（70）は、上述の切断装置（10）と、上記実施形態２と同様の構成の溶着検出部（65）とを備えている。なお、切断装置（10）には、上記実施形態１、及び後述するその他の実施形態の何れの切断装置（10）を用いてもよい。
【０１１８】
上記切断装置（10）は、端子間部材（71）を切断可能な位置に設けられている。具体的に、切断装置（10）は、進出前のブレード（30）の切断部（31）が可動接触子（73）の前面に対面するように設けられている。
【０１１９】
本実施形態３では、溶着検出部（65）が可動接点（73a,73b）と固定接点（68a,69a）とが溶着していると判断すると、発火部（37）が作動して火薬が爆発し、ブレード（30）が進出する。ブレード（30）は、可動接触子（73）を切断する。この状態では、プッシャー（32）が可動接触子（73）の切断面に接触している。つまり、ブレード（30）は、プッシャー（32）が可動接触子（73）の切断面に接触するまで進出する。
【０１２０】
−実施形態３の効果−
本実施形態３では、切断装置（10）によって、電源側端子（74）と負荷側端子（75）の間を強制的に通電不能にすることが可能である。このため、例えば可動接触子（73）と固定接触子（68,69）が溶着した場合であっても、切断装置（10）によって電源側端子（74）と負荷側端子（75）との間を強制的に通電不能にすることで、負荷側の機器の故障を防止することができる。
【０１２１】
〈発明の実施形態４〉
次に、本実施形態４について説明する。図１８に示すように、本実施形態４は、本発明に係る切断装置（10）を備えた電気回路遮断器（90）である。この電気回路遮断器（90）は、ブレーカ（50）と接触器（70）と樹脂製のケーシング（91）とを備えている。なお、ブレーカ（50）と接触器（70）についての説明は省略する。
【０１２２】
上記ケーシング（91）には、ブレーカ（50）が配置されたブレーカ配置室（88）と、接触器（70）が配置された接触器配置室（89）が障壁を挟んで形成されている。また、ケーシング（91）には、負荷側端子（95）及び電源側端子（94）と、ブレーカ（50）と接触器（70）と接続する接続用部材（92）とが設けられている。接続用部材（92）は、ハーネス（12）により構成されている。
【０１２３】
上記負荷側端子（95）は、接触器（70）の第１固定接触子（68）に接続されている。電源側端子（94）は、ブレーカ（50）の可動接触子（53）に接続されている。また、接続用部材（92）の一端は、接触器（70）の第２固定接触子（69）に接続されている。接続用部材（92）の他端は、ブレーカ（50）の固定接触子（52）に接続されている。
【０１２４】
さらに、電気回路遮断器（90）は、上述の切断装置（10）と、上記実施形態２と同様の溶着検出部（65）とを備えている。なお、切断装置（10）には、上記実施形態１及び後述するその他の実施形態の何れの切断装置を用いてもよい。
【０１２５】
上記切断装置（10）は、接続用部材（92）を切断可能な位置に設けられている。具体的に、切断装置（10）は、進出前のブレード（30）の切断部（31）が接続用部材（92）の前面に対面するよう設けられている。
【０１２６】
本実施形態４では、ブレーカ（50）において可動接触子（53）と固定接触子（52）が溶着していると判定したり、接触器（70）において可動接触子（73）と固定接触子（68,69）が溶着していると判定した場合に、溶着検出部（65）が発火部（37）を作動させて、ブレード（30）が進出し、ブレード（30）は、接続用部材（92）を切断（破断）する。この状態では、プッシャー（32）が接続用部材（92）の切断面に接触している。つまり、ブレード（30）は、プッシャー（32）が接続用部材（92）の切断面に接触するまで進出する。
【０１２７】
−実施形態４の効果−
本実施形態４では、切断装置（10）によって接続用部材（92）を切断して、電源側端子（94）と負荷側端子（95）の間を通電不能にすることが可能である。このため、例えばブレーカ（50）や接触器（70）で溶着が生じた場合であっても、切断装置（10）によって電源側端子（94）と負荷側端子（95）の間を通電不能にすることで、負荷側の機器の故障を防止することができる。
【０１２８】
〈その他の実施形態〉
上記各実施形態では、ストッパ（23）を樹脂材料で構成したが、ストッパ（23）を構成する材料はこれに限られない。
【０１２９】
また、上記各実施形態では、ストッパ（23）の緩衝部（1）を８つの軸方向に延びる突出部（2）によって構成することとしていたが、突出部（2）の数及び形状はこれに限られない。例えば、周方向及び軸方向に複数個配列した突起状の突出部（2）によって緩衝部（1）を構成してもよい。また、緩衝部（1）は、例えば、ストッパ（23）の筒部（23b）の内壁面に沿って螺旋状に延びる１つの突出部（2）によって緩衝部（1）を構成してもよい。
【０１３０】
また、上記各実施形態では、複数の突出部（2）は、等間隔に配列されていたが、各突出部（2）の間隔が異なっていてもよい。このような場合においても、筒部（23b）の軸方向に直交する断面において、該断面へのブレード（30）の垂直投影図と複数の突出部（2）との重複部分の面積が、複数の突出部（2）と隣る複数の溝空間におけるブレード（30）の垂直投影図と重複しない部分の面積よりも小さくなるようにストッパ（23）を構成することにより、溝空間が削り屑によって埋め尽くされることを防止することができる。これにより、ブレード（30）のひっかかりを防止することができ、ストッパ（23）に衝撃的な力が作用することを防止することができる。従って、上記各実施形態と同様に、ブレード（30）受け止め時のストッパ（23）の破損を防止することができ、ストッパ（23）によってブレード（30）をしっかりと受け止めることができる。
【０１３１】
また、ブレード（30）の切断部（31）の構成及び材料は上記各実施形態のものに限られない。例えば、切断部（31）は刃部（31a）のみを備えてガイド部（31b,31b）を備えていないものであってもよい。また、例えば、切断部（31）は、金属ではなくセラミックスや樹脂等によって構成されていてもよい。
【０１３２】
なお、以上の実施形態は、本質的に好ましい例示であって、本発明、その適用物、あるいはその用途の範囲を制限することを意図するものではない。
【産業上の利用可能性】
【０１３３】
以上説明したように、本発明は、切断装置について有用である。
【符号の説明】
【０１３４】
１      緩衝部
２      突出部
３      溝
１０      切断装置 
１２      ハーネス（通電用部材）
１７      円柱通路
２３      ストッパ 
２３ａ    底部（壁部）
２３ｂ    筒部
３０      ブレード
３１      切断部
３２      プッシャー（絶縁部）
３５      ガス発生部
【図１】
0005582023.tif 000002
【図２】
0005582023.tif 000003
【図３】
0005582023.tif 000004
【図４】
0005582023.tif 000005
【図５】
0005582023.tif 000006
【図６】
0005582023.tif 000007
【図７】
0005582023.tif 000008
【図８】
0005582023.tif 000009
【図９】
0005582023.tif 000010
【図１０】
0005582023.tif 000011
【図１１】
0005582023.tif 000012
【図１２】
0005582023.tif 000013
【図１３】
0005582023.tif 000014
【図１４】
0005582023.tif 000015
【図１５】
0005582023.tif 000016
【図１６】
0005582023.tif 000017
【図１７】
0005582023.tif 000018
【図１８】
0005582023.tif 000019